(57)【特許請求の範囲】
【請求項１】
子機（２）と、前記子機からの呼出しに応答して通話を成立させるための親機（３）と、所定のアクセスポイントを有するルータ等の情報機器（４）を経由して前記親機との間でデータ通信を行うための携帯移動端末（５）とを有するインターホンシステムであって、
前記親機は、前記情報機器を経由して前記携帯移動端末との間の接続／非接続状態を確認するための状態確認信号を生成する信号生成部（３０７）と、前記状態確認信号が受信された前記携帯移動端末の接続応答部（５２）から前記情報機器を経由して伝送されてくる接続応答信号を受信するための信号受信部（３０８）と、前記信号生成部にて前記状態確認信号が生成されてから前記信号受信部にて前記接続応答信号が受信されるまでの時間を計時するための計時部（３０９）と、前記計時部にて計時される所定の時間内に前記接続応答信号が受信された否かに基づき前記情報機器を経由して前記携帯移動端末との間の接続／非接続状態を登録するための状態記憶部（３１０）と、前記状態記憶部の登録内容に対応させて当該親機の動作モードを在宅モード又は留守・不在モードに切り換えるためのモード設定部（３１１）とを有し、
前記親機は、前記状態記憶部に登録された接続／非接続状態の当該携帯移動端末の台数をカウントするためのカウント部（３１３）と、前記カウント部のカウント情報を表示部（３０６）に表示させるための表示処理部（３１４）とを有することを特徴とするインターホンシステム。
【請求項２】
子機（２）と、前記子機からの呼出しに応答して通話を成立させるための親機（３）と、所定のアクセスポイントを有するルータ等の情報機器（４）を経由して前記親機との間でデータ通信を行うための携帯移動端末（５）とを有するインターホンシステムであって、
前記親機は、前記携帯移動端末に割当てられたＩＤ登録情報を記憶するための端末情報記憶部（３１２）と、前記情報機器を経由して前記携帯移動端末との間の接続／非接続状態を確認するための状態確認信号を生成し、前記端末情報記憶部に記憶されたＩＤ登録情報に対応させて送信する信号生成部（３０７）と、前記状態確認信号が受信された前記携帯移動端末の接続応答部（５２）から自端末のＩＤ登録情報が付加されて前記情報機器を経由して伝送されてくる接続応答信号を受信するための信号受信部（３０８）と、前記信号生成部にて前記状態確認信号が生成されてから前記信号受信部にて前記接続応答信号が受信されるまでの時間を計時するための計時部（３０９）と、前記計時部にて計時される所定の時間内に前記接続応答信号が受信された否かに基づき前記情報機器を経由して前記携帯移動端末との間の接続／非接続状態を前記受信されたＩＤ登録情報とともに登録するための状態記憶部（３１０）と、前記状態記憶部の登録内容に対応させて当該親機の動作モードを在宅モード又は留守・不在モードに切り換えるためのモード設定部（３１１）とを有し、
前記親機は、前記状態記憶部に登録された接続／非接続状態の当該携帯移動端末の台数をカウントするためのカウント部（３１３）と、前記カウント部のカウント情報を表示部（３０６）に表示させるための表示処理部（３１４）とを有することを特徴とするインターホンシステム。
【請求項３】
子機（２）と、前記子機からの呼出しに応答して通話を成立させるための親機（３）と、所定のアクセスポイントを有するルータ等の情報機器（４）を経由して前記親機との間でデータ通信を行うための携帯移動端末（５）とを有するインターホンシステムであって、
前記親機は、前記情報機器を経由して前記携帯移動端末との間の接続／非接続状態を確認するための状態確認信号を生成する信号生成部（３０７）と、前記状態確認信号が受信された前記携帯移動端末の接続応答部（５２）から前記情報機器を経由して伝送されてくる接続応答信号を受信するための信号受信部（３０８）と、前記信号生成部にて前記状態確認信号が生成されてから前記信号受信部にて前記接続応答信号が受信されるまでの時間を計時するための計時部（３０９）と、前記計時部にて計時される所定の時間内に前記接続応答信号が受信された否かに基づき前記情報機器を経由して前記携帯移動端末との間の接続／非接続状態を登録するための状態記憶部（３１０）と、前記状態記憶部の登録内容に対応させて当該親機の動作モードを在宅モード又は留守・不在モードに切り換えるためのモード設定部（３１１）とを有し、
前記親機は、前記状態記憶部に登録された接続状態の当該携帯移動端末の固有名情報を記憶するための端末情報登録部（３１５）と、前記状態記憶部に登録された接続状態の当該携帯移動端末のＩＤ登録情報と前記端末情報登録部に記憶された固有名情報とを対比し、接続状態の当該携帯移動端末のＩＤ登録情報に割当てられた固有名情報を表示部（３０６）に表示させるための表示処理部（３１４）とを有することを特徴とするインターホンシステム。
【請求項４】
子機（２）と、前記子機からの呼出しに応答して通話を成立させるための親機（３）と、所定のアクセスポイントを有するルータ等の情報機器（４）を経由して前記親機との間でデータ通信を行うための携帯移動端末（５）とを有するインターホンシステムであって、
前記親機は、前記携帯移動端末に割当てられたＩＤ登録情報を記憶するための端末情報記憶部（３１２）と、前記情報機器を経由して前記携帯移動端末との間の接続／非接続状態を確認するための状態確認信号を生成し、前記端末情報記憶部に記憶されたＩＤ登録情報に対応させて送信する信号生成部（３０７）と、前記状態確認信号が受信された前記携帯移動端末の接続応答部（５２）から自端末のＩＤ登録情報が付加されて前記情報機器を経由して伝送されてくる接続応答信号を受信するための信号受信部（３０８）と、前記信号生成部にて前記状態確認信号が生成されてから前記信号受信部にて前記接続応答信号が受信されるまでの時間を計時するための計時部（３０９）と、前記計時部にて計時される所定の時間内に前記接続応答信号が受信された否かに基づき前記情報機器を経由して前記携帯移動端末との間の接続／非接続状態を前記受信されたＩＤ登録情報とともに登録するための状態記憶部（３１０）と、前記状態記憶部の登録内容に対応させて当該親機の動作モードを在宅モード又は留守・不在モードに切り換えるためのモード設定部（３１１）とを有し、
前記親機は、前記状態記憶部に登録された接続状態の当該携帯移動端末の固有名情報を記憶するための端末情報登録部（３１５）と、前記状態記憶部に登録された接続状態の当該携帯移動端末のＩＤ登録情報と前記端末情報登録部に記憶された固有名情報とを対比し、接続状態の当該携帯移動端末のＩＤ登録情報に割当てられた固有名情報を表示部（３０６）に表示させるための表示処理部（３１４）とを有することを特徴とするインターホンシステム。
【請求項５】
前記携帯移動端末は、無線によるデータ通信が可能な携帯端末であることを特徴とする請求項１乃至請求項４のうち何れか１項記載のインターホンシステム。
【発明の詳細な説明】
【技術分野】
【０００１】
本発明はインターホンシステムに係り、特に、在宅と留守・不在の各モードを自動的に移行させることができるようにしたインターホンシステムに関する。
【背景技術】
【０００２】
従来から在宅モードと留守・不在モードを適宜切り換えることができるインターホンシステムは知られており、通常居室内の親機に設けられたモード切り換えボタンを用いて在宅モードと留守・不在モードを切り換えていた。しかしこのようなインターホンシステムではモード切り換えボタンを押し忘れて外出してしまうことがあるという問題があった。
【０００３】
このような問題を解決する手段として、玄関先や門扉などの屋外に留守設定スイッチを設置し、居室内親機からばかりでなく、屋外においても留守設定スイッチを操作することにより留守・不在モードを設定できるようにした発明が開示されている（例えば、特許文献１参照）。
【０００４】
このインターホンシステムでは、居室内で留守・不在モードへの切り換えを忘れたとしても、屋外へ出た後に玄関あるいは門扉等で再度在宅モードから留守・不在モードへの切り換えが行うことができるという利点を有している。
【０００５】
一方、居室親機内に設けられたモード切り換えボタンを操作して留守・不在モードにして外出した場合、外出から戻った際にはモード切り換えボタンを再度操作して在宅モードに切り換えることが行われていたが、この操作を外出から戻り、玄関の電気錠を解錠した際に、この電気錠の解錠と連動して居室親機内のモード切り換えボタンを在宅モードに移行させるようにした発明も開示されている（例えば、特許文献２参照）。
【０００６】
このインターホンシステムでは、外出から戻った際に玄関の電気錠を解錠すると同時に留守・不在モードから在宅モードへ移行できるので、手動で在宅モードへ移行させる場合に比べて留守・不在モードから在宅モードへの切り換えを失念するという心配がない。
【先行技術文献】
【特許文献】
【０００７】
【特許文献１】特開２００２−３２００４１号公報
【特許文献２】特開２００１−２５１４３４号公報
【発明の概要】
【発明が解決しようとする課題】
【０００８】
しかしながら、上記した従来のインターホンシステムにおいて、特許文献１に記載された技術では、モード切り換えボタンを押すという煩わしさの他に、屋外に留守設定スイッチを設けているために、居住者の思惑とは別に外部から操作されてしまうという虞もあった。
【０００９】
また、特許文献２に記載された技術では、外出から戻った際に電気錠の解錠と連動して留守・不在モードから在宅モードへ切り換え得られるという利点はあるものの、外出をする際に留守・不在モードへの設定を失念した場合には警戒設定等がなされず、防犯上の役割が果たされなくなるという問題があった。
【００１０】
本発明は上記の課題を解決するためになされたもので、在宅モードと留守・不在モードを自動的に移行させることができるようにしたインターホンシステムを提供するものである。
【課題を解決するための手段】
【００１１】
本発明によるインターホンシステムの第１の態様によれば、子機と、子機からの呼出しに応答して通話を成立させるための親機と、所定のアクセスポイントを有するルータ等の情報機器を経由して親機との間でデータ通信を行うための携帯移動端末とを有するインターホンシステムであって、親機は、情報機器を経由して携帯移動端末との間の接続／非接続状態を確認するための状態確認信号を生成する信号生成部と、状態確認信号が受信された携帯移動端末の接続応答部から情報機器を経由して伝送されてくる接続応答信号を受信するための信号受信部と、信号生成部にて状態確認信号が生成されてから信号受信部にて接続応答信号が受信されるまでの時間を計時するための計時部と、計時部にて計時される所定の時間内に接続応答信号が受信された否かに基づき情報機器を経由して携帯移動端末との間の接続／非接続状態を登録するための状態記憶部と、状態記憶部の登録内容に対応させて当該親機の動作モードを在宅モード又は留守・不在モードに切り換えるためのモード設定部とを有し、親機は、状態記憶部に登録された接続／非接続状態の当該携帯移動端末の台数をカウントするためのカウント部と、カウント部のカウント情報を表示部に表示させるための表示処理部とを有することを特徴とする。
【００１２】
また、本発明によるインターホンシステムの第２の態様によれば、子機と、子機からの呼出しに応答して通話を成立させるための親機と、所定のアクセスポイントを有するルータ等の情報機器を経由して親機との間でデータ通信を行うための携帯移動端末とを有するインターホンシステムであって、親機は、携帯移動端末に割当てられたＩＤ登録情報を記憶するための端末情報記憶部と、情報機器を経由して携帯移動端末との間の接続／非接続状態を確認するための状態確認信号を生成し、端末情報記憶部に記憶されたＩＤ登録情報に対応させて送信する信号生成部と、状態確認信号が受信された携帯移動端末の接続応答部から自端末のＩＤ登録情報が付加されて情報機器を経由して伝送されてくる接続応答信号を受信するための信号受信部と、信号生成部にて状態確認信号が生成されてから信号受信部にて接続応答信号が受信されるまでの時間を計時するための計時部と、計時部にて計時される所定の時間内に接続応答信号が受信された否かに基づき情報機器を経由して携帯移動端末との間の接続／非接続状態を受信されたＩＤ登録情報とともに登録するための状態記憶部と、状態記憶部の登録内容に対応させて当該親機の動作モードを在宅モード又は留守・不在モードに切り換えるためのモード設定部とを有し、親機は、状態記憶部に登録された接続／非接続状態の当該携帯移動端末の台数をカウントするためのカウント部と、カウント部のカウント情報を表示部に表示させるための表示処理部とを有することを特徴とする。
【００１３】
本発明によるインターホンシステムの第３の態様によれば、子機と、子機からの呼出しに応答して通話を成立させるための親機と、所定のアクセスポイントを有するルータ等の情報機器を経由して親機との間でデータ通信を行うための携帯移動端末とを有するインターホンシステムであって、親機は、情報機器を経由して携帯移動端末との間の接続／非接続状態を確認するための状態確認信号を生成する信号生成部と、状態確認信号が受信された携帯移動端末の接続応答部から情報機器を経由して伝送されてくる接続応答信号を受信するための信号受信部と、信号生成部にて状態確認信号が生成されてから信号受信部にて接続応答信号が受信されるまでの時間を計時するための計時部と、計時部にて計時される所定の時間内に接続応答信号が受信された否かに基づき情報機器を経由して携帯移動端末との間の接続／非接続状態を登録するための状態記憶部と、状態記憶部の登録内容に対応させて当該親機の動作モードを在宅モード又は留守・不在モードに切り換えるためのモード設定部とを有し、親機は、状態記憶部に登録された接続状態の当該携帯移動端末の固有名情報を記憶するための端末情報登録部と、状態記憶部に登録された接続状態の当該携帯移動端末のＩＤ登録情報と端末情報登録部に記憶された固有名情報とを対比し、接続状態の当該携帯移動端末のＩＤ登録情報に割当てられた固有名情報を表示部に表示させるための表示処理部とを有することを特徴とする。
【００１４】
また、本発明によるインターホンシステムの第４の態様によれば、子機と、子機からの呼出しに応答して通話を成立させるための親機と、所定のアクセスポイントを有するルータ等の情報機器を経由して親機との間でデータ通信を行うための携帯移動端末とを有するインターホンシステムであって、親機は、携帯移動端末に割当てられたＩＤ登録情報を記憶するための端末情報記憶部と、情報機器を経由して携帯移動端末との間の接続／非接続状態を確認するための状態確認信号を生成し、端末情報記憶部に記憶されたＩＤ登録情報に対応させて送信する信号生成部と、状態確認信号が受信された携帯移動端末の接続応答部から自端末のＩＤ登録情報が付加されて情報機器を経由して伝送されてくる接続応答信号を受信するための信号受信部と、信号生成部にて状態確認信号が生成されてから信号受信部にて接続応答信号が受信されるまでの時間を計時するための計時部と、計時部にて計時される所定の時間内に接続応答信号が受信された否かに基づき情報機器を経由して携帯移動端末との間の接続／非接続状態を受信されたＩＤ登録情報とともに登録するための状態記憶部と、状態記憶部の登録内容に対応させて当該親機の動作モードを在宅モード又は留守・不在モードに切り換えるためのモード設定部とを有し、親機は、状態記憶部に登録された接続状態の当該携帯移動端末の固有名情報を記憶するための端末情報登録部と、状態記憶部に登録された接続状態の当該携帯移動端末のＩＤ登録情報と端末情報登録部に記憶された固有名情報とを対比し、接続状態の当該携帯移動端末のＩＤ登録情報に割当てられた固有名情報を表示部に表示させるための表示処理部とを有することを特徴とする。
【００１５】
さらに、本発明によるインターホンシステムの第５の態様によれば、第１から第４の何れかの態様において、携帯移動端末は、無線によるデータ通信が可能な携帯端末であることを特徴とする。
【発明の効果】
【００１６】
本発明によれば、特定の携帯移動端末が接続されている場合は、自動的に在宅モードに設定され、接続されていない場合は留守・不在モードに設定されることが可能となり、インターホンの在宅モードあるいは留守・不在モードの設定を特に居室内あるいは屋外で手動により操作する必要がなく、自動的に各モード間へ移行できるため、居住者が各モードの設定を忘れるということがなく、その結果安定した防犯効果が得られる。
【００１７】
また、登録された携帯移動端末の接続／非接続状態の台数をカウントして表示させ、さらに携帯移動端末の登録情報に割り当てられた固有名情報を表示させるため、どの携帯移動端末が接続されているかを確認することが簡単にでき、在宅モードあるいは留守・不在モードが確実に設定されているか否かの不安を解消する効果が得られる。
【図面の簡単な説明】
【００１８】
【図１】本発明のインターホンシステムのシステム構成図である。
【図２】本発明のインターホンシステムの子機、親機、情報機器及び携帯移動端末のブロック図である。
【図３】本発明のインターホンシステムにおける在宅モードあるいは留守・不在モードの状況の一例を示す図である。
【発明を実施するための形態】
【００１９】
以下、本発明によるインターホンシステムを適用した好ましい形態の実施例について、図面を参照して説明する。
【００２０】
図１は、本発明のインターホンシステム１のシステム構成図であり、このインターホンシステム１は子機２、親機３、情報機器４及び携帯移動端末５を有している。子機２と親機３、親機３と情報機器４との間はそれぞれ有線で接続されており、情報機器４と携帯移動端末５との間は無線により接続されている。
【００２１】
子機２は従来から知られているようにカメラＣＡ、マイクＭＣ、スピーカＳＰ、呼出ボタン２１等を備えており、また親機３もマイクＭＣ、スピーカＳＰ、操作部３１６等の他に表示部（モニター）３０６を備えている。情報機器４は例えばアクセスポイント付きルータの機能を有しており、携帯移動端末５との間で無線信号を送受信できるようになっている。携帯移動端末５は例えばアンドロイド（登録商標）端末が用いられ、本発明のインターホンシステムに必要なソフトウェア（アプリ）がインストールされている。
【００２２】
図２は本発明のインターホンシステム１のブロック図を示しており、特に親機３の構成について詳細に説明している。親機３は子機２との間で信号を送受信するためのインターフェース（Ｉ／Ｆ）３０１及び情報機器４との間で信号を送受信するためのインターフェース（Ｉ／Ｆ）３０２を有しており、Ｉ／Ｆ３０１は子機２と、Ｉ／Ｆ３０２は情報機器４とそれぞれ接続されている。また、親機３には親機ＣＰＵ３０３が備えられており、親機３を構成する各部をそれぞれ制御できるようになっている。
【００２３】
親機ＣＰＵ３０３には子機２との間で来訪者と居住者が通話するための音声を処理する音声処理部３０４が接続されており、また子機２のカメラＣＡで撮像された来訪者の映像を処理するための映像処理部３０５が接続されている。音声処理部３０４はＩ／Ｆ３０１を介して子機２と接続されており、音声処理部３０４にはマイクＭＣ及びスピーカＳＰが接続されている。また、映像処理部３０５には表示部（モニター）３０６が接続されており、映像処理部３０５はＩ／Ｆ３０１を介して子機２と接続されている。
【００２４】
親機ＣＰＵ３０３には携帯移動端末５の接続／非接続状態を確認するための状態確認信号を生成する信号生成部３０７と携帯移動端末５からの接続応答信号を受信するための信号受信部３０８が接続されている。信号生成部３０７及び信号受信部３０８はそれぞれＩ／Ｆ３０２と接続されている。
【００２５】
さらに、親機ＣＰＵ３０３には信号生成部３０７にて状態確認信号が生成されてから信号受信部３０８にて接続応答信号が受信されるまでの時間を計時するための計時部３０９が接続されているとともに携帯端末５の接続／非接続状態を登録するための状態記憶部３１０が接続されている。また、状態記憶部３１０の登録内容に対応させて親機３の動作モードを在宅モードまたは留守・不在モードに切り換えるためのモード設定部３１１が接続されている。
【００２６】
ところで、携帯移動端末５が複数台存在する場合、それぞれの端末にはＩＤ登録情報が割当てられるが、親機ＣＰＵ３０３にはこの割当てられたＩＤ登録情報を記憶するための端末情報記憶部３１２が接続されている。また、親機ＣＰＵ３０３には状態記憶部３１０に登録された接続／非接続状態の携帯移動端末５の台数をカウントするためのカウント部３１３が接続されており、このカウント部３１３のカウント情報を表示部３０６に表示させるための表示処理部３１４が接続されている。表示処理部３１４はまた携帯移動端末５にデータを転送させるためにＩ／Ｆ３０２に接続されている。
【００２７】
そして、親機ＣＰＵ３０３には状態記憶部３１０に登録された接続状態の携帯移動端末５の固有名情報、例えば氏名などを記憶するための端末情報登録部３１５が接続されている。なお、親機ＣＰＵ３０３には親機３の各種操作を行うための操作部３１６が接続されており、また親機３には各構成部に電源を供給するための電源部３１７が備えられている。電源部３１７から各構成部への接続関係については省略されている。
【００２８】
一方、携帯移動端末５においては、親機３からの状態確認信号を受信し、携帯移動端末５の接続応答信号を伝送するための端末ＣＰＵ５１、接続応答部５２及び情報機器４との間で無線により信号の送受信を行うためのインターフェース（Ｉ／Ｆ）５３が備えられている。なお、子機２及び情報機器４の構成の詳細については説明を省略する。
【００２９】
次に、上記のような構成を有する本発明のインターホンシステム１の動作について説明する。なお、来訪者が子機２の呼出ボタン２１を押下してそれに居住者が応答する動作については従来から知られている動作と同様のため説明を省略する。
【００３０】
まず親機３と携帯移動端末５を接続するために予め端末情報登録部３１５において複数の携帯移動端末５の固有名情報を含む接続情報を取得し、割り当てられたＩＤ登録情報に対応させて端末情報記憶部３１２に記憶させる。この接続情報を基に親機３の信号生成部３０７にて状態確認信号を生成し、送信する。この状態確認信号は親機３のＩ／Ｆ３０２を介して情報機器４に送信され、さらに情報機器４から無線により携帯移動端末５のＩ／Ｆ５３を経由して端末ＣＰＵ５１に送信される。この場合の無線信号は情報機器４と携帯移動端末５の間のある一定の距離内で送受信できる周波数帯を用いる。
【００３１】
この状態確認信号が携帯移動端末５にて正常に受信されている場合、携帯移動端末５における端末ＣＰＵ５１の接続応答部５２が接続応答信号を送信する。接続応答信号はＩ／Ｆ５３を経由して情報機器４に無線により送信され、親機３のＩ／Ｆ３０２を経由して信号受信部３０８にて受信される。その後接続応答信号を基に携帯移動端末５の受信状況と複数の携帯移動端末のうちどの端末であるかという機器情報が状態記憶部３１０に記憶される。
【００３２】
一方、携帯移動端末５が接続されていない場合、すなわち状態確認信号が携帯移動端末５にて受信されない場合、状態確認信号が生成されてから受信までの時間を計時部３０９で計時し、予め設定した時間（例えば、５秒）を超過したならば時間超過情報が信号受信部３０８に送信され、非接続情報（状態確認信号が受信されていないという情報）と機器情報が状態記憶部３１０に記憶される。
【００３３】
このようにして状態記憶部３１０に記憶された接続情報または非接続情報がモード設定部３１１に転送される。モード設定部３１１では端末情報記憶部３１２から取得した固有名情報や複数の携帯移動端末５のＩＤ登録情報、各携帯移動端末５の在宅モード、留守・不在モードの設定への反映・非反映情報、複数のＩＤ登録情報毎の接続／非接続情報等がまとめられる。このようにしてモード設定部３１１でまとめられた各情報を基に在宅か留守・不在かが判定され、在宅モードまたは留守・不在モードの設定が自動的に行われる。
【００３４】
なお、複数の携帯移動端末５の在宅モードまたは留守・不在モードへの反映・非反映の設定は、親機３の操作部３１６により個別に手動で設定できるようにしておくことが望ましい。これは在宅でありながら留守・不在であるように設定したい場合も考えられるため、いわゆる居留守モードとしての設定も可能にするためである。
【００３５】
在宅モードまたは留守・不在モードへの反映・非反映の設定を手動で行うことが望ましい理由は、例えば一人の居住者が２台の携帯移動端末を保有している場合、１台を持ち外出してももう１台は居室内に残るため自動的に在宅モード設定されてしまう。しかしこのような場合居住者が誰も居室内にいないのに防犯設定がなされないので、手動で在宅モードを非反映に設定しておけば仮令１台の携帯移動端末が居室内に残っていたとしても防犯設定を行うことができるためである。
【００３６】
また、居留守モードを設定する理由としては、例えば小学生以下の子供が留守番をするような場合、防犯上在宅でありながら留守・不在モードにして防犯設定を解除しないようにするためなどが考えられる。
【００３７】
モード設定部３１１でまとめられた各情報は表示処理部３１４へ転送され、表示できるように処理され表示部３０６に転送されて表示される。さらに、状態記憶部３１０で記憶された接続／非接続情報はカウント部３１３に送られ、このカウント部３１３において携帯移動端末５の登録台数情報と接続台数情報が算出される。算出された登録台数情報、接続台数情報及び登録台数から接続台数を差し引いた非接続台数情報は表示処理部３１４へ転送され、表示できるように処理され表示部３０６に転送されて表示される。なお、表示部３０６は従来から知られているＬＣＤ等のフラットパネルディスプレイやＬＥＤ等の点照明、７セグメントディスプレイ等が用いられる。
【００３８】
以上説明したように、親機３からの状態確認信号が携帯移動端末５から接続応答信号として戻ってこない場合、すなわち情報機器４を介した親機３と携帯移動端末５の無線接続の範囲を超えて携帯移動端末５が圏外に移動した場合、居住者のうちの全てがこの携帯移動端末５を持って外出していることになり、そのような場合には留守・不在モードが自動的に設定される。一方、親機３と携帯移動端末５の間に状態確認信号及び接続応答信号の送受信が行われる場合、すなわち携帯移動端末５が無線接続の圏内にある場合には、居住者のうちの誰かは在宅していることになり、在宅モードが自動的に設定される。
【００３９】
このように本発明のインターホンシステムでは、携帯移動端末５が親機３との間の無線接続の圏内にあるか圏外にあるかによって在宅モードと留守・不在モードの間で自動的にモード移行が行われるようになっている。なお、在宅モードに移行した場合には通常のインターホンシステムの動作、すなわち子機から親機への呼出し、携帯移動端末への転送等が行われ、留守・不在モードに移行した場合にはセキュリティセンサを能動とし、警戒設定等の防犯上の処置がなされるようにしたり、呼出情報の記憶、映像情報の記憶等が行われたりする。
【００４０】
図３はモード設定部３１１でまとめられた固有名情報（氏名）、携帯移動端末の登録ＩＤ情報、在宅モードまたは留守・不在モードを反映させるか非反映とするかのモード選択情報、携帯移動端末毎の接続状況情報、在宅モードか留守・不在モードかの結果情報、最終的な在宅か留守・不在かの情報を表示部に表示させた場合の例を示している。これにより、例えばＡさんの携帯移動端末は親機３との間で無線接続の圏内にあるため在宅であることがわかり、Ｂ、Ｄ、Ｅさんは各携帯移動端末が親機３との間で無線接続の圏外にあるため留守・不在であることがわかるようになっている。なお、在宅モードまたは留守・不在モードは住戸単位で設定されるため、図３の表示の場合には住戸は在宅モードが自動的に設定される。
【００４１】
ここで、Ｃさんについては、Ｃさんの携帯移動端末（ＩＤ０００３）が親機３との間で無線接続の圏内にあり、接続状況では接続と表示されているが、モード選択においてその接続状況を反映しないように設定（非反映に設定）しているために留守・不在モードと表示されており、在宅でありながら留守・不在モード（いわゆる居留守モード）となっている。このように各種のモードの設定ができるようになっている。
【００４２】
なお、インターホンシステムに不具合が生じた場合、例えば携帯移動端末５と情報機器４との間の通信エラーや携帯移動端末５の内蔵電池切れなどによる誤動作が生じた場合（例えば、在宅でありながら留守・不在モードの表示が出ている等）にも表示部によりその誤動作の状況を確認することができる。
【００４３】
本実施の形態では携帯移動端末を通話が可能な端末として例示しているが、このような端末に限定する必要はなく、例えば通話機能を有しない携帯型端末でもよく、またノート型パソコンのような端末でもよい。
【００４４】
なお、住戸内に居住者が誰もいず留守・不在モードに設定されている時に来訪者があった場合、従来技術を適用してその情報を音声や映像で親機に記憶させ、その記憶させた情報を例えばインターネット回線などを用いて携帯移動端末に転送させることも可能である。
【産業上の利用可能性】
【００４５】
本発明は戸建てのインターホンシステムばかりではなく集合住宅のインターホンシステムにも適用することが可能であり、また本発明と同一の目的を有するインターホンシステムの技術分野において特に限定することなく利用できる。
【符号の説明】
【００４６】
１・・・・・・・・・・インターホンシステム
２・・・・・・・・・・子機
３・・・・・・・・・・親機
４・・・・・・・・・・情報機器
５・・・・・・・・・・携帯移動端末
５２・・・・・・・・・・接続応答部
３０６・・・・・・・・・・表示部
３０７・・・・・・・・・・信号生成部
３０８・・・・・・・・・・信号受信部
３０９・・・・・・・・・・計時部
３１０・・・・・・・・・・状態記憶部
３１１・・・・・・・・・・モード設定部
３１２・・・・・・・・・・端末情報記憶部
３１３・・・・・・・・・・カウント部
３１４・・・・・・・・・・表示処理部
３１５・・・・・・・・・・端末情報登録部
【図１】
0005820322.tif 000002
【図２】
0005820322.tif 000003
【図３】
0005820322.tif 000004